(57)【要約】【課題】ガードレール等構造物の支柱囲りの雑草の繁茂を防止し人手による刈取作業を不要とすると共に、草刈機で刈り取る際、支柱を損傷したり、刃こぼれを起こしたり、跳ね返り事故を未然に防止するための、構造物の支柱用プロテクターを提供する。【解決手段】ゴムまたはエラストマー等の軟質素材からなり、支柱に装着・被覆される筒状部２と、該筒状部２の下部より水平方向に周設され、雑草繁茂を防止する鍔部３とから形成され、更に、筒状部２と鍔部３には、スリット状開口部４を設けている。支柱に装着する場合には、軟質素材及び形状の有する弾力性、復元力を利用し、筒状部２のスリット状開口部４を左右に開いて支柱を内部に取り込み、復元力により開口部４を閉鎖することにより簡単に装着できる。これによって、支柱回りの雑草繁茂が防止されるので刈取機による機械的刈取作業だけで済み、刈取機が筒状部に当たっても支柱は損傷せず、また刈取機の刃こぼれがなく、更に、刈取機の跳ね返り事故もなくなるので作業性が良く且つ安全である。【選択図】図１
2005290682.tif 000002
【特許請求の範囲】
【請求項１】
軟質素材からなる筒状部と該筒状部の下部より略水平方向に周設された鍔部とからなり、縦又は斜め方向にスリット状開口部を設けてなることを特徴とする構造物の支柱用プロテクター。
【請求項２】
スリット状開口部の背面部付近に、縦又は斜め方向に薄肉部を設けたことを特徴とする請求項１記載の支柱用プロテクター。
【請求項３】
スリット状開口部に接合手段を設けたことを特徴とする請求項１又は２記載の支柱用プロテクター。
【請求項４】
スリット状開口部の一端に、接合及び／又はサイズ調整用薄肉舌片を突設したことを特徴とする請求項１〜３のいずれか１項に記載の支柱用プロテクター。
【請求項５】
スリット状開口部の一端に接合及び／又はサイズ調整用薄肉舌片を突設し、スリット状開口部の他端に該舌片の収容部を設けたことを特徴とする請求項４記載の支柱用プロテクター。
【請求項６】
スリット状開口部が合決り構造からなることを特徴とする請求項１〜５のいずれか１項に記載の支柱用プロテクター。
【請求項７】
筒状部の上端に、先端に近づく程薄肉となるシール用舌片を斜め内側方向に延設したことを特徴とする請求項１〜６のいずれか１項に記載の支柱用プロテクター。
【請求項８】
筒状部が円筒状であることを特徴とする請求項１〜７のいずれか１項に記載の支柱用プロテクター。
【請求項９】
筒状部に蛍光塗料を塗布するか、又は蛍光テープを貼着したことを特徴とする請求項１〜８のいずれか１項に記載の支柱用プロテクター。
【請求項１０】
軟質素材がゴム又はエラストマーであることを特徴とする請求項１〜９のいずれか１項に記載の支柱用プロテクター。
【発明の詳細な説明】
【技術分野】
【０００１】
本発明は、ガードレール、道路標識、信号や広告板等を支持する支柱周囲における雑草の繁殖を防止してガードレールや広告塔等の支柱を保護するとともに、支柱周囲の草刈作業の作業性や安全性を高めることのできる、構造物の支柱用プロテクターに関する。
【背景技術】
【０００２】
高速道路や一般道路の路肩には支柱に支えられたガードレール、道路標識、信号、支柱に支えられた広告板や掲示板、電柱等が広範囲に設けられている。また、街の至る所にも公設・私設を問わず種々の構造物の支柱類が立設されている。そして、これら構造物の支柱の根元周辺には雑草が繁茂するので、その美観維持、環境良化のために主としてエンジンや電動駆動付きの草刈機を使って定期的に刈り取りが行われている。これらの草刈機による雑草の刈り取り作業は、特に延々と延びている高速道路沿いや、交通の不便な山間部においては、多大の労力と経費が掛かる。
【０００３】
このような機械による刈り取り作業においては、しばしば草刈機が支柱に当たり支柱を傷つけ外観を損なうばかりでなく、そこから発錆して支柱の耐久性を低下させるという問題を惹き起こす。同時に、草刈機においても刃こぼれを起こし、草刈機の耐久性を著しく低下させることになる。更には、草刈機が支柱に当たった際の跳ね返りにより、作業者はその反動でバランスを崩したり、転倒したり、また側の物や人に当たり、思わぬ事故に発展する危険性をはらんでいる。
【０００４】
このような危険を減らすために、草刈機による刈り取り作業は支柱からある程度離れた所までとし、支柱付近の刈り取りは作業者が手で鎌等を用いて刈り取るということが一般に行なわれている。しかしながら、この方法では機械的刈り取りと人力による刈り取りとの２作業が必要であるため作業効率が低いばかりでなく、特に、車道側を刈り取るような場合は身を危険に曝しながらの作業となり安全性において問題がある。
【０００５】
そこで、このような問題を解決せんとして、例えば、２分割に形成され支柱の周囲に対向して配設される一対の支柱保護用ブロックと、該一対の支柱保護用ブロックを接続するカスガイとからなり、支柱保護用ブロックのそれぞれに突き合わせ面を形成すると共に、各突き合わせ面の中央部に支柱の外周面の半部分を嵌合する嵌合用凹部を形成し、且つ該嵌合用凹部の側面側には前記カスガイの先端係止部を挿入して係止するための係止孔を備えてなる支柱保護具が提案されている（例えば、特許文献１参照）。
【特許文献１】特開平９−１１１７２６号公報（図１、図２、図３）
【発明の開示】
【発明が解決しようとする課題】
【０００６】
しかしながら、上記支柱保護具においては、保護具自体が大がかりである上、支柱の周囲の地面を掘削した後で一対の支柱保護用ブロックを配設し、支柱を中心として一対の該支柱保護用ブロックを突き合わせた後に、ブロック側面に設けた係止孔にカスガイを挿入して係止し、更に、該支柱保護用ブロックの上面の部分を露出するようにして周囲に土を埋め戻すという多くの工数が必要であり、取付作業が極めて煩雑であり、また材料コストや作業コストの増大が避けられない。また、支柱保護用ブロックの表面には土砂が堆積し易く、土砂が堆積するとここに雑草が繁殖し、草刈作業が必要となり、再び上記した様々な問題が露呈されることになり、根本的解決には程遠いものである。
【０００７】
本発明は上記課題を解決するもので、支柱の根元周囲の雑草の繁茂を防止するとともに、その外周に繁茂する雑草を草刈機を使用して刈り取る際に、草刈機が当接した場合であっても支柱の損傷及び草刈機の刃こぼれを防ぎ、更には、草刈機の跳ね返りを防止し、支柱及び草刈機の耐久性を高めるとともに、草刈作業の安全性と作業性を向上させ、経済性に優れた構造物の支柱用プロテクターを提供することを目的としている。
【課題を解決するための手段】
【０００８】
上記目的を達成するために、本発明の請求項１は、軟質素材からなる筒状部と該筒状部の下部より該筒状部に対して略垂直方向に周設された鍔部とからなり、縦又は斜め方向にスリット状開口部を設けてなることを特徴とする構造物の支柱用プロテクターを内容とする。
【０００９】
本発明の請求項２は、スリット状開口部の背面部付近に、縦又は斜め方向に薄肉部を設けたことを特徴とする請求項１記載の支柱用プロテクターを内容とする。
【００１０】
本発明の請求項３は、スリット状開口部に接合手段を設けたことを特徴とする請求項１又は２記載の支柱用プロテクターを内容とする。
【００１１】
本発明の請求項４は、スリット状開口部の一端に、接合及び／又はサイズ調整用薄肉舌片を突設したことを特徴とする請求項１〜３のいずれか１項に記載の支柱用プロテクターを内容とする。
【００１２】
本発明の請求項５は、スリット状開口部の一端に接合及び／又はサイズ調整用薄肉舌片を突設し、スリット状開口部の他端に該舌片の収容部を設けたことを特徴とする請求項４記載の支柱用プロテクターを内容とする。
【００１３】
本発明の請求項６は、スリット状開口部が合決り構造からなることを特徴とする請求項１〜５のいずれか１項に記載の支柱用プロテクターを内容とする。
【００１４】
本発明の請求項７は、筒状部の上端に、先端に近づく程薄肉となるシール用舌片を斜め内側方向に延設したことを特徴とする請求項１〜６のいずれか１項に記載の支柱用プロテクターを内容とする。
【００１５】
本発明の請求項８は、筒状部が円筒状であることを特徴とする請求項１〜７のいずれか１項に記載の支柱用プロテクターを内容とする。
【００１６】
本発明の請求項９は、筒状部に蛍光塗料を塗布するか、又は蛍光テープを貼着したことを特徴とする請求項１〜８のいずれか１項に記載の支柱用プロテクターを内容とする。
【００１７】
本発明の請求項１０は、軟質素材がゴム又はエラストマーであることを特徴とする請求項１〜９のいずれか１項に記載の支柱用プロテクターを内容とする。
【発明の効果】
【００１８】
本発明の支柱用プロテクターは、軟質素材を使って支柱と嵌合、被覆する筒状部と、該筒状部の下部から略水平状に周設された鍔部とから形成され、これら筒状部と鍔部に縦方向又は斜め方向にスリット状開口部を備えてなるものであり、素材及び形状の有する弾性力及び復元力を利用して、スリット状開口部を通じて支柱の横方向から容易に取り付けることができる。
【００１９】
また、スリット状開口部の背面部付近に、縦又は斜め方向に薄肉部を設けることにより、スリット状開口部を開くのが容易となり取付工事が簡単になる。
【００２０】
また、スリット状開口部に例えば接着剤や面ファスナー等の接合手段を設けることにより、支柱に簡単に装着できると共に、容易に又は不用意には取り外せないので窃盗やいたづら等が防止される。
【００２１】
また、スリット状開口部の一端に、接合及び／又はサイズ調整用の薄肉舌片を突設することにより、支柱の直径が異なっていても所定範囲内で調整して容易に対応することが可能となる。
【００２２】
また、スリット状開口部の他端に該舌片の嵌入できる収容部を設けることにより、例えば接着剤等を舌片に貼着しておけば接着面積が増えるので一層強固に固定できるとともに、外観も良好となる。
【００２３】
また、スリット状開口部が合決り構造からなるようにしても、前述の薄肉舌片の形態と同様、支柱の直径が少々異なっても調整して容易に取付ることができる。
【００２４】
また、筒状部の上端に、先端に近づく程薄肉となるシール用舌片を斜め内側方向に延設することにより、該先端部分と支柱との密着性が一層良くなり、プロテクターの筒状部と支柱との間に雑草が繁殖したり、雨水が侵入したりするのを防止することができる。
【００２５】
また、筒状部を円筒状に形成することにより、数の多い既製の支柱に対して広範囲に対応することが可能となる。
【００２６】
また、筒状部に蛍光塗料を塗布するか、又は蛍光テープを貼着することにより、夜間の視認性を発揮できるので、例えばガードレール支柱であれば車のライトによって輝き、注意喚起のメッセージとなって交通安全対策に寄与することができる。
【００２７】
また、軟質素材がゴム又はエラストマーである場合には、柔軟性と同時に適度な硬性も有しているので取付施工性に優れ、且つ草刈機の刃等が当接した場合でも刃こぼれを防ぎ、また、その優れた衝撃吸収力によって草刈機の跳ね返りを防止することができる。
【発明を実施するための最良の形態】
【００２８】
本発明の構造物の支柱用プロテクターは、軟質素材からなり、支柱の下方部分を包み込む状態で装着される筒状部と、該筒状部の下部から水平状に周設され、実質的に雑草の繁殖を防ぐための鍔部とを備え、更に、該筒状部と鍔部とには縦方向又は斜め方向にスリット状開口部を設けている。該スリット状開口部は軟質素材及び形状の有する弾性力及び復元力を利用し、該開口部から容易に開閉できるので、既設の支柱であってもこの開口部が開いた状態で支柱の横方向から支柱に抱着させた後、復元力により自動的に閉鎖することにより簡単に装着可能である。  
【００２９】
本発明のプロテクターにおいて、鍔部は雑草の生育や繁殖を防止するためのものである。従って、従来支柱周辺の手で行っていた刈り取り作業が実質的に不要となり、刈取機を用いた機械的刈り取り作業だけでよいから作業性が大巾に向上する。また、道路側の手による刈取作業も当然不要又は減少するため、従来の危険性の問題が解消される。
【００３０】
一方、筒状部は、刈取機を用いて機械的に刈取作業をする際に、刈取機が当たって支柱を損傷するのを防止すると同時に、草刈機の刃こぼれを防止し、更には、草刈機が支柱に当たった際の衝撃を緩和し、跳ね返り等を防止するためのものである。
従って、支柱及び刈取機の耐久性が向上するととも、跳ね返りによる転倒等の事故等が防止されるので機械的刈取作業を安全に行うことができる。
【００３１】
軟質素材としては適度な剛性と弾性力、復元力があって、支柱に装着し易く、草刈機の刃が万一当接するようなことがあっても刃を損傷することがなく、また刃が当接した場合の衝撃を吸収して草刈機の跳ね返りを防止するとともに、加工性に優れ、且つコスト的にも有利なゴムまたはエラストマーが好適である。なお、円筒部の内面に独立気泡を有する発泡ゴムやポリウレタン等のクッション部材を設けてもよく、このようにすれば支柱装着時の密着性は一層良好となり、プロテクターと支柱間での雑草の繁殖や雨水の侵入が防止される。
【００３２】
筒状部の断面形状は支柱の形状により決定され、一般には円形が主であるが、四角形、楕円形等であっても良く、またそのサイズも支柱により決定され、支柱と略同じか僅かに大き目のものが好ましい。鍔部のサイズは特に制限されず、支柱の周りに雑草の繁殖を防止したい所望の範囲により適宜決定すればよい。一例を挙げると、例えば円筒部の形態では、円筒部の内径は３０〜２００ｍｍ、円筒部の肉厚は１０〜１００ｍｍ、円筒部の高さは５０〜３００ｍｍ、また鍔部の厚みは２〜１０ｍｍ程度のものが好適である。
【００３３】
そして、スリット状開口部の背面部付近に、特に筒状部の肉厚が厚い場合には縦又は斜め方向に薄肉部を設けて開口部を開き易くしたり、スリット状開口部に例えば接着剤や面ファスナー等の接合手段を設け、支柱に装着した後の窃盗やいたずらなどによる取り外しを防止する。尚、本発明において、斜め方向とは、４５度程度までが作業性の点で好ましい。
【００３４】
また、スリット状開口部の一端に、接合及び／又はサイズ調整用の薄肉舌片を突設したり、スリット状開口部を合決り構造にすることによって、少々支柱の直径が異なっていても調整して容易に対応できるので好ましい。
また、筒状部の上端に、先端に近づく程薄肉となるシール用舌片を斜め内側方向に延設し、該先端部分と支柱との密着性を一層良くすることにより、プロテクターの筒状部と支柱との間の雑草の繁殖や雨水の侵入を防止できるので好ましい。
さらにまた、筒状部に蛍光塗料を塗布したり、蛍光テープを貼着して、支柱の配設場所が夜間に確認できるようにすると共に、これらの蛍光テープなどは夜間の視認性に優れているので、例えばガードレールの支柱であれば交通安全対策の一つとしても役立つ。
【実施例】
【００３５】
以下、実施例を挙げて本発明を詳述するが、本発明はかかる実施例のみに制限されないことは云うまでもない。
【００３６】
実施例１
本実施例の構造物の支柱用プロテクター１は、図１（ａ）、（ｂ）に示すように、ゴムまたはエラストマー等の軟質素材からなり、筒状部２と該筒状部２の下部より略水平方向に周設された鍔部３とから形成され、支柱用プロテクター１の一側面が外力を加えれば開口するように、縦方向又は斜め方向にスリット状開口部４を設けたことを基本構造としている。
【００３７】
支柱（図示せず）に装着する場合には、このプロテクター１の筒状部２及び鍔部３のスリット状開口部４を左右に開いて支柱を内部に取り込めば筒状部２及び鍔部３の弾性力、復元力により、プロテクター１を支柱に簡単に装着することができる。
【００３８】
実施例２
本実施例の構造物の支柱用プロテクター１は、図２に示したように、スリット状開口部４に予め設けた接着剤、面ファスナー、磁石等の接合手段５を設けた構成からなる。プロテクター１を支柱に装着した後、接合手段５によりスリット状開口部４を接合すればプロテクター１はしっかりと支柱に固定される。接合手段５が面ファスナー、磁石等からなる場合は、着脱自在で取り替えや移動等が容易であり、また接着剤からなる場合は盗難を防止するのに有効である。
【００３９】
実施例３
本実施例の構造物の支柱用プロテクター１は、図３に示すように、スリット状開口部４が容易に開けられるようにするため、その背面部に縦方向に薄肉部６を形成した構成からなる。薄肉部６は、特に筒状部２の肉厚が厚くなる場合に有効である。必要に応じ、図４に示すように、例えば粘着テープ（又は蛍光粘着テープ）８を筒状部２に巻回することもでき、更に薄肉部６には充填部材７を充填することもできる。この場合はプロテクター１を支柱にしっかりと装着できるとともに、美観的にも良好である。巻回するテープとして蛍光粘着テープを用いた場合には、特に夜間ドライバーの注意を喚起して安全性の向上にも寄与できる。
なお、粘着テープ８を巻回する形態では、該粘着テープ８が接合手段として作用するので、前述した接着剤、面ファスナー、磁石等は省略することができる。
【００４０】
実施例４
本実施例の構造物の支柱用プロテクター１は、図５（ａ）、（ｂ）に示すように、筒状部２と鍔部３のスリット状開口部４の一方の端部から薄肉状の筒舌片９と鍔舌片１０がそれぞれ突設され、筒舌片９は筒状部２の内面に沿うように、また、鍔舌片１０はスリット状開口部４の鍔部３の下面に重なるような成形されている。なお、図５においては筒舌片９と鍔舌片１０との厚さ寸法を分かりやすくするため極端に厚く描いている。
また、鍔舌片１０を厚くする必要がある場合には、この鍔舌片１０と重なる部分の鍔部３の一部を鍔舌片１０の厚さだけ切り欠いて形成した切欠部１１に納まるように形成し表面が面一となるようにしても良い。同様に、筒舌片９も重なる部分の筒状部２の内面にその厚さだけ切り欠いた切欠部に収め、筒状部２の内径に変動を来さないようにしても良い。スリット状開口部４には剥離紙付きの接着剤、面ファスナー等の接合手段５が設けられている。                                                                          
【００４１】
そして、支柱のサイズが大きい場合には、図６に示したように筒舌片９、鍔舌片１０が外側にづれてスリット状開口部４がＷ寸法広がった状態で装着され、接合手段５によって固定される。
このように本実施例の支柱用プロテクター１は支柱のサイズが異なっていても調節して対応することができるので極めて施工性が良く、また経済的である。なお、接合手段としての接着剤や面ファスナーは、必ずしも筒舌片９、鍔舌片１０それぞれの全体に亘って且つ連続的に設ける必要はなく、部分的に又は断続的に設けても良い。
【００４２】
実施例５
本実施例の構造物の支柱用プロテクター１は、図７に示したように、スリット状開口部４の筒状部２と鍔部３のそれぞれの一端に、前述と同様の接合とサイズ調整とを兼ねた薄肉舌片１３を突設すると共に、対向するスリット状開口部４の他端に該薄肉舌片１３の嵌入する収容部１４を設けたものである。
本例のプロテクター１は、図８、図９に示すように、支柱が所定寸法の場合にはスリット状開口部４を閉じた状態となり（図８）、支柱が少し大きめの場合はスリット状開口部４が広げられた状態となり（図９）、薄肉舌片１３の長さの範囲内で任意に調節して対応することが可能である。
なお、本実施例の形態では、薄肉舌片１３を収容部１４に嵌入する際、面ファスナーは嵌入しにくいので、接合手段としては、接着剤や磁石等が好ましい。
【００４３】
実施例６
本実施例の構造物の支柱用プロテクター１は、図１０（ａ）に示すように、スリット状開口部４が、筒状部２の肉厚部を縦斜め方向に切断して斜め合決り１５の構造に形成したものである。一方、鍔部３の方は通常、円筒部２よりも薄く形成されるので、その部分は上記実施例４の図６に示す如く、単純に２枚重ねの構造にするのが実質的であるが、本例では、鍔部３にも斜め合決り１５を設けた場合を示している。    
本例のプロテクター１によれば、図１０（ｂ）、（ｃ）に示すように、支柱が所定の寸法の場合の、スリット状開口部４が閉じた状態（図１０（ｂ））から、斜め合決り１５の部分が外側にずれた状態（図１０（ｃ））まで、即ち、斜め合決り１５構造の接合部の長さの範囲内で自由に筒状部２の径を調整することができる。また、本構造のスリット状開口部４における接合手段については、接着剤、面ファスナー、磁石、両面粘着テープ等のいずれでもよい。
【００４４】
実施例７
本実施例の構造物の支柱用プロテクター１は、図１１（ａ）、（ｂ）、（ｃ）に示すように、スリット状開口部４を前述の斜め合決り１５に代え、段状合決り１６にした以外は前述と同様である。この場合も、（ｂ）、（ｃ）に示すように、段状合決り１６の接合部の長さの範囲内で自由に筒状部２の径を調整可能である。
【００４５】
実施例８
本実施例の構造物の支柱用プロテクター１は、図１２に示すように、筒状部２の上端に、先端に近づく程薄肉となるシール用舌片１７を斜め内側方向に延設して、先端のサイズは取り付ける支柱１８のサイズより僅かに小さく形成した構造からなる。  
本実施例のプロテクター１によれば、図１３に示すように、シール舌片１７の先端が弾性変形し、支柱１８外表面に隙間無く密着した状態で取り付けられるので、プロテクター１と支柱１８との間隙に雑草が繁殖したり、雨水が侵入したりすることが防止される。
【００４６】
以上、本発明の構造物の支柱用プロテクターの好ましい例について説明したが、必要に応じ、本発明のプロテクターと支柱との間隙にシール材を充填したり、プロテクターと支柱とを接着して、上記シール材と同様の効果の他に、盗難を防止することも可能である。また、プロテクターの全体又は部分（特に、鍔部）に雑草忌避剤を塗布したり、練り込んだりすることもできる。更に、紫外線吸収剤や酸化防止剤、安定剤を塗布したり練り込んでプロテクターの耐久性を高めることも可能である。
【産業上の利用可能性】
【００４７】
叙上のとおり、本発明の構造物の支柱用プロテクターは、構造物の支柱及び草刈機の耐久性を向上させ、極めて経済的であるとともに、人手による刈取作業を実質的に不要として機械的刈取作業だけでよいから、刈取作業性を大巾に向上させることができる。また、刈取機の跳ね返りが防止されるので、安全に刈取作業を行うことが可能である。
【図面の簡単な説明】
【００４８】
【図１】（ａ）実施例１の支柱用プロテクターを示す斜視図である。  （ｂ）同プロテクターの上面図である。
【図２】実施例２の支柱用プロテクターを示す上面図である。
【図３】実施例３の支柱用プロテクターを示す斜視図である。
【図４】実施例３の支柱用プロテクターに粘着テープを設けた例を示す上面図である。
【図５】（ａ）実施例４の支柱用プロテクターを示す上面図である。  （ｂ）図５（ａ）におけるＡ−Ａ断面図である。
【図６】実施例４の支柱用プロテクターのスリット状開口部を示す上面図である。
【図７】実施例５の支柱用プロテクターを示す斜視図である。
【図８】実施例５の支柱用プロテクターの薄肉舌片が収容部に嵌入した状態を示す斜視図である。
【図９】実施例５の支柱用プロテクターの薄肉舌片が一部収容部に嵌入した状態を示す斜視図である。
【図１０】（ａ）実施例６の支柱用プロテクターを示す斜視図である。  （ｂ）同プロテクターの斜め合決りを示す上面図である。  （ｃ）同斜め合決りがづれた状態を示す上面図である。
【図１１】（ａ）実施例７の支柱用プロテクターを示す部分斜視図である。  （ｂ）同段状合決りを示す上面図である。  （ｃ）同段状合決りがづれた状態を示す上面図である。
【図１２】実施例８の支柱用プロテクターを示す断面図である。
【図１３】実施例８の支柱用プロテクターと支柱との関係を示す断面図である。
【符号の説明】
【００４９】
１  支柱用プロテクター
２  筒状部
３  鍔部
４  スリット状開口部
５  接合手段
６  薄肉部
７  充填部材
８  粘着テープ
９  筒舌片
１０  鍔舌片
１１  切欠部
１２  凹部
１３  薄肉舌片
１４  収容部
１５  斜め合決り
１６  段状合決り
１７  シール用舌片
１８  支柱
【図１】
2005290682.tif 000003
【図２】
2005290682.tif 000004
【図３】
2005290682.tif 000005
【図４】
2005290682.tif 000006
【図５】
2005290682.tif 000007
【図６】
2005290682.tif 000008
【図７】
2005290682.tif 000009
【図８】
2005290682.tif 000010
【図９】
2005290682.tif 000011
【図１０】
2005290682.tif 000012
【図１１】
2005290682.tif 000013
【図１２】
2005290682.tif 000014
【図１３】
2005290682.tif 000015